(57)【要約】【課題】建物の強度を十分に向上できる木造耐震壁を提供する。【解決手段】柱１と梁２とで囲まれた空間内に間伐材４を並べて積層してあり、互いに積層する間伐材４同士間に、間伐材４同士の長手方向への相対移動を阻止する嵌合部Ｂを設けてある。【選択図】図１
2009185586.tif 000002
【特許請求の範囲】
【請求項１】
柱と梁とで囲まれた空間内に間伐材を並べて積層してある木造耐震壁であって、
互いに積層する前記間伐材同士間に、前記間伐材同士の長手方向への相対移動を阻止する嵌合部を設けてある木造耐震壁。
【請求項２】
柱と梁とで囲まれた空間内に間伐材を並べて積層してある木造耐震壁であって、
互いに積層する前記間伐材同士を接着剤にて一体化してある木造耐震壁。
【請求項３】
柱と梁とで囲まれた空間内に間伐材を並べて積層してある耐震壁であって、
互いに積層する前記間伐材同士間に、前記間伐材同士の長手方向への相対移動を阻止する嵌合部を設け、且つ、前記間伐材同士を接着剤にて一体化してある木造耐震壁。
【請求項４】
前記嵌合部を構成するに、互いに積層する前記間伐材同士の積層面夫々に、前記間伐材同士の長手方向への相対移動を阻止する凹凸状の噛合係合部を形成してある請求項１に記載の木造耐震壁。
【請求項５】
前記間伐材を並べて積層した状態を保持する保持部を設けてある請求項１〜４のいずれか１項に記載の木造耐震壁。
【請求項６】
前記保持部が、積層した前記間伐材夫々を貫通する状態で設けたボルト部材又はワイヤ部材である請求項５に記載の木造耐震壁。
【発明の詳細な説明】
【技術分野】
【０００１】
本発明は、柱と梁とで囲まれた空間内に間伐材を並べて積層してある木造耐震壁に関する。
【背景技術】
【０００２】
かかる木造耐震壁は、例えば、建物を新築するときや、既設の建物をリフォームするときに、建物の柱と梁とで囲まれた空間内に取り付けることにより、建物の強度を向上できるようにしたものである。
【０００３】
従来、この種の木造耐震壁では、互いに積層する間伐材のうち隣り合う一方の間伐材の積層面に長手方向に沿う凹溝を形成するとともに、他方の間伐材の積層面に凹溝に嵌合する突条を形成し、一対のボルトを積層した間伐材夫々を貫通する状態で設けたものがあった（例えば、特許文献１参照。）。
【０００４】
【特許文献１】実開平３−５８０７号公報
【発明の開示】
【発明が解決しようとする課題】
【０００５】
従来の木造耐震壁においては、互いに積層する間伐材同士がねじれることを阻止できるものの、図７に示すように、木造耐震壁Ａに地震力等の大きな水平力が掛かったときに、ボルト部材６による締め付けや間伐材４同士の摩擦力に抗して互いに積層する間伐材４同士が長手方向へ相対移動することにより、木造耐震壁Ａが矩形状から平行四辺形状に変形する虞があり、木造耐震壁Ａにて水平力を十分に負担できない等、建物の強度を十分に向上できない虞があった。
【０００６】
本発明は、上記実状に鑑みて為されたものであって、その目的は、建物の強度を十分に向上できる木造耐震壁を提供する点にある。
【課題を解決するための手段】
【０００７】
本発明の木造耐震壁は、柱と梁とで囲まれた空間内に間伐材を並べて積層してあるものであって、その第１特徴構成は、互いに積層する前記間伐材同士間に、前記間伐材同士の長手方向への相対移動を阻止する嵌合部を設けてある点にある。
【０００８】
すなわち、互いに積層する間伐材同士間に、間伐材同士の長手方向への相対移動を阻止する嵌合部を設けてあるので、木造耐震壁の変形を抑制して、建物の強度を十分に向上できる。加えて、互いに積層する前記間伐材同士を嵌合させるだけで木造耐震壁を製作することができるので、組み付け作業の簡素化を図ることができる。
【０００９】
本発明の木造耐震壁は、柱と梁とで囲まれた空間内に間伐材を並べて積層してあるものであって、その第２特徴構成は、互いに積層する前記間伐材同士を接着剤にて一体化してある点にある。
【００１０】
すなわち、互いに積層する前記間伐材同士を接着剤にて一体化してあるので、木造耐震壁の変形を抑制して、建物の強度を十分に向上できる。加えて、間伐材同士を接着剤にて一体化するだけで木造耐震壁を製作することができるので、間伐材に複雑な加工を行なう必要が無い。
【００１１】
本発明の木造耐震壁は、柱と梁とで囲まれた空間内に間伐材を並べて積層してあるものであって、その第３特徴構成は、互いに積層する前記間伐材同士間に、前記間伐材同士の長手方向への相対移動を阻止する嵌合部を設け、且つ、前記間伐材同士を接着剤にて一体化してある点にある。
【００１２】
すなわち、互いに積層する間伐材同士間に、間伐材同士の長手方向への相対移動を阻止する嵌合部を設けてあるだけでなく、互いに積層する前記間伐材同士を接着剤にて一体化してあるので、木造耐震壁の変形を一層抑制して、建物の強度を一層向上できる。
【００１３】
本発明の第４特徴構成は、上記第１特徴構成に加えて、前記嵌合部を構成するに、互いに積層する前記間伐材同士の積層面夫々に、前記間伐材同士の長手方向への相対移動を阻止する凹凸状の噛合係合部を形成してある点を特徴とする。
【００１４】
すなわち、互いに積層する間伐材同士の積層面夫々に、間伐材同士の長手方向への相対移動を阻止する凹凸状の噛合係合部を形成してあるので、間伐材同士の積層面夫々に形成された凹凸状の噛合係合部の噛み合いにより、木造耐震壁の変形を一層抑制して、建物の強度を一層向上できる。
【００１５】
本発明の第５特徴構成は、上記第１〜第４特徴構成のいずれかに加えて、前記間伐材を並べて積層した状態を保持する保持部を設けてある点を特徴とする。
【００１６】
すなわち、保持部にて間伐材を並べて積層した状態を保持することにより、木造耐震壁の変形を一層抑制して、建物の強度を一層向上できる。特に、互いに積層する間伐材同士の積層面夫々に、間伐材同士の長手方向への相対移動を阻止する凹凸状の噛合係合部を形成する場合において、間伐材同士の積層面間に隙間が生じると、凹凸状の噛合係合部の噛み合いが外れる虞があるが、保持部にて間伐材を並べて積層した状態を保持することにより、間伐材同士間に隙間が生じる不都合を回避して、木造耐震壁が変形することを確実に防止できる。
【００１７】
本発明の第６特徴構成は、上記第５特徴構成に加えて、前記保持部が、積層した前記間伐材夫々を貫通する状態で設けたボルト部材又はワイヤ部材である点を特徴とする。
【００１８】
すなわち、ボルトによる締め付け又はワイヤの張力により、木造耐震壁の変形を一層抑制して、建物の強度を一層向上できる。
【発明を実施するための最良の形態】
【００１９】
〔第１実施の形態〕
以下、本発明に係る木造耐震壁を建物に適用した場合について説明する。
（木造耐震壁の取り付け構成）
図１〜図３に示すように、建物を構成する柱１と梁２とで囲まれた空間内に１つの木造耐震壁Ａが嵌め込まれている。そして、柱１に外れ止めプレート３が取り付けられており、木造耐震壁Ａが柱１と梁２とで囲まれた空間から外れることを防止してある。
（木造耐震壁の構造）
木造耐震壁Ａは、間伐材４を上下方向に並べて積層して構成してあり、木造耐震壁Ａにおける屋外側の側面に外壁面を構成する化粧ボード５が取り付けられ、一対のボルト部材６（保持部の一例）が積層した間伐材４夫々を貫通する状態で設けられ、間伐材４を並べて積層した状態を保持するように構成されている。そして、互いに積層する間伐材４同士の積層面夫々に、上下方向（積層方向）に沿って噛み合い係合して間伐材４同士の長手方向への相対移動を阻止する嵌合部Ｂとしての凹凸状の噛合係合部７が、間伐材４の長手方向に沿ってその全幅に亘って形成されている。
【００２０】
説明を加えると、間伐材４は、直方体状の長尺状に加工され、上面に矩形状の凹部７ａ及び凸部７ｂが長手方向に沿って交互に複数形成されるとともに、下面に矩形状の凹部７ａ及び凸部７ｂが長手方向に沿って交互に複数形成されている。そして、間伐材４を並べて積層した状態において、隣り合う間伐材４のうち上側の間伐材４における下面に形成された複数の凹部７ａ及び凸部７ｂの夫々が下側の間伐材４における上面に形成された複数の凸部７ｂ及び凹部７ａの夫々に嵌合するように構成されている。
これにより、間伐材４同士の積層面夫々に形成された噛合係合部７における凹部７ａと凸部７ｂとの噛み合いにより、部品点数を増やすこと無く木造耐震壁Ａの変形を抑制して、建物の強度を向上できる。
尚、木造耐震壁Ａを構成する間伐材４のうち最上部に位置する間伐材４の上面には凸部７ｂが形成されておらず、最上部に位置する間伐材４の上面の長手方向両端側にボルト挿通用の切り欠き部８が形成されている。又、木造耐震壁Ａを構成する間伐材４のうち最下部に位置する間伐材４の下面には凹部７ａが形成されておらず、最下部に位置する間伐材４の下面の長手方向両端側にボルト挿通用の切り欠き部８が形成されている。
【００２１】
〔第２実施の形態〕
この実施形態では、第１実施形態の構成と異なる構成についてのみ説明し、同じ構成については説明を省略する。
第１実施形態では、間伐材４は、直方体状の長尺状に加工され、上面に矩形状の凹部７ａ及び凸部７ｂが長手方向に沿って交互に複数形成されるとともに、下面に矩形状の凹部７ａ及び凸部７ｂが長手方向に沿って交互に複数形成されていたが、第２実施形態では、図４に示すように、間伐材４の上面及び下面に本実加工を施してある。つまり、上面における木造耐震壁Ａの厚み方向の中央側に突条１０が長手方向に形成されるとともに、下面における厚み方向の中央側に突条１０を挿入自在な凹溝１１が長手方向に形成されている。突条１０における先端面に矩形状の凸部１０ａ及び凹部１０ｂが長手方向に沿って交互に複数形成されるとともに、凹溝１１における底面に矩形状の凹部１１ａ及び凸部１１ｂが長手方向に沿って交互に複数形成されている。
そして、間伐材４を並べて積層し、凹溝１１に突条１０を挿入した状態において、隣り合う間伐材４のうち上側の間伐材４における凹溝１１の底面に形成された複数の凹部１１ａ及び凸部１１ｂの夫々が、下側の間伐材４における突条１０の先端面に形成された複数の凸部１０ａ及び凹部１０ｂの夫々に嵌合するように構成されている。
これにより、上側の間伐材４の凹溝１１における底面に形成された噛合係合部７における凹部１１ａ及び凸部１１ｂと下側の間伐材４の突条１０における先端面に形成された噛合係合部７における凸部１０ａ及び凹部１０ｂとの噛み合いにより、互いに積層する間伐材４同士が横方向にねじれることを阻止できながらも、部品点数を増やすこと無く木造耐震壁Ａの変形を抑制して、建物の強度を向上できる。
【００２２】
〔第３実施の形態〕
この実施形態では、第１実施形態の構成と異なる構成についてのみ説明し、同じ構成については説明を省略する。
第１実施形態では、間伐材４は、直方体状の長尺状に加工され、上面に矩形状の凹部７ａ及び凸部７ｂが長手方向に沿って交互に複数形成されるとともに、下面に矩形状の凹部７ａ及び凸部７ｂが長手方向に沿って交互に複数形成されていたが、第３実施形態では、図５に示すように、間伐材４の上面及び下面に相決り加工を施してある。つまり、上面の屋外側に切り欠き１６が長手方向に形成され、下面の屋外側に切り欠き１６に嵌合自在な突条１７が長手方向に形成されている。上面に蟻溝１５が厚み方向に沿いかつ屋外側に貫通しない状態で長手方向に間隔を隔てて複数形成され、下面に蟻溝１５が厚み方向に沿いかつ屋外側に貫通しない状態で長手方向に間隔を隔てて複数形成されている。
そして、間伐材４を並べて積層し、切り欠き１６に突条１７を挿入した状態において、隣り合う間伐材４のうち上側の間伐材４における下面に形成された複数の蟻溝１５の夫々が下側の間伐材４における上面に形成された複数の蟻溝１５の夫々に向かい合って複数のリボン状の穴１８を形成するように構成されており、それら穴１８の夫々に千切１９を挿入することにより、木造耐震壁Ａの変形を抑制して、建物の強度を向上できる。又、切り欠き１６に突条１７を挿入することにより、雨水の浸入を防止できる。
【００２３】
〔第４実施の形態〕
この実施形態では、第１実施形態の構成と異なる構成についてのみ説明し、同じ構成については説明を省略する。
第１実施形態では、間伐材４は、直方体状の長尺状に加工され、上面に矩形状の凹部７ａ及び凸部７ｂが長手方向に沿って交互に複数形成されるとともに、下面に矩形状の凹部７ａ及び凸部７ｂが長手方向に沿って交互に複数形成されていたが、第４実施形態では、図６に示すように、間伐材４にの上面及び下面に相決り加工を施してある。つまり、上面の屋外側に切り欠き２１が長手方向に形成されるとともに、下面の屋外側に切り欠き２１に嵌合自在な突条２２が長手方向に形成されている。切り欠き２１の側面に屋外側に突出する矩形状の凸部２１ａ及び屋内側に凹む矩形状の凹部２１ｂが長手方向に沿って交互に複数形成されるとともに、突条２２における屋内側の側面に屋外側に凹む矩形状の凹部２２ｂ及び屋内側に突出する矩形状の凸部２２ａが長手方向に沿って交互に複数形成されている。
そして、間伐材４を並べて積層し、切り欠き２１に突条２２を挿入した状態において、切り欠き２１の側面に形成された複数の凸部２１ａ及び凹部２１ｂの夫々が、突条２２における屋内側の側面に形成された複数の凹部２２ｂ及び凸部２２ａの夫々に嵌合するように構成されている。
これにより、上側の間伐材４の突条２２における屋内側の側面に形成された噛合係合部７における凹部２２ｂ及び凸部２２ａと下側の間伐材４の切り欠き２１の側面に形成された噛合係合部７における凸部２１ａ及び凹部２１ｂとの噛み合いにより、部品点数を増やすこと無く木造耐震壁Ａの変形を抑制して、建物の強度を向上できる。又、切り欠き２１に突条２２を挿入することにより、雨水の浸入を防止できる。
【００２４】
〔第５実施の形態〕
この実施形態では、第１実施形態の構成と異なる構成についてのみ説明し、同じ構成については説明を省略する。
第１実施形態では、間伐材４は、直方体状の長尺状に加工され、上面に矩形状の凹部７ａ及び凸部７ｂが長手方向に沿って交互に複数形成されるとともに、下面に矩形状の凹部７ａ及び凸部７ｂが長手方向に沿って交互に複数形成されていたが、第５実施形態では、互いに積層する間伐材４同士を接着剤にて一体化してある。つまり、互いに積層する間伐材４同士の積層面に接着剤の一例としてのフェノール樹脂を塗布し、間伐材４を並べて積層した状態において、熱を加えて熱重合反応を起こさせることにより一体化してある。尚、接着剤は、フェノール樹脂に限られるものではなく、ユリア樹脂やメラミン樹脂等、種々の熱硬化性樹脂が使用可能である。
これにより、互いに積層する間伐材４同士の接着により、木造耐震壁Ａの変形を抑制して、建物の強度を十分に向上できる。加えて、間伐材４同士を接着剤にて一体化するだけで木造耐震壁Ａを製作することができるので、間伐材４に複雑な加工を行なう必要が無い。
【００２５】
〔別実施の形態〕
（１）上記第１、第２、第４実施の形態では、隣り合う間伐材４夫々の噛合係合部７における凹部７ａ、１０ｂ、１１ａ、２１ｂ、２２ｂが矩形状に形成されるとともに、隣り合う間伐材４夫々の噛合係合部７における凸部７ｂ、１０ａ、１１ｂ、２１ａ、２２ａが矩形状に形成されている構成を例示したが、隣り合う間伐材４夫々の噛合係合部７における凹部７ａ、１０ｂ、１１ａ、２１ｂ、２２ｂが三角状に形成されるとともに、隣り合う間伐材４夫々の噛合係合部７における凸部７ｂ、１０ａ、１１ｂ、２１ａ、２２ａが三角状に形成されている構成としてもよく、あるいは、隣り合う間伐材４夫々の噛合係合部７における凹部７ａ、１０ｂ、１１ａ、２１ｂ、２２ｂが、開口幅が内奥側に向かうほど幅狭となるテーパ状に形成されるとともに、隣り合う間伐材４夫々の噛合係合部７における凸部７ｂ、１０ａ、１１ｂ、２１ａ、２２ａが、先端側に向かうほど幅狭となるテーパ状に形成されている構成としてもよい。このように、凹部及び凹部を三角状やテーパ状に構成することにより、間伐材４の加工誤差に拘わらず間伐材４を組み付け易いものとなる。尚、凹部及び凸部の数は間伐材４の長さ等に合わせて増減可能である。
【００２６】
（２）上記実施の形態では、保持部が積層状態の間伐材４を貫通する状態で設けたボルト部材６である構成を例示したが、このような構成に限られるものではなく、保持部が積層状態の間伐材４を貫通する状態で設けたワイヤ部材であってもよく、あるいは、積層状態の間伐材４の両側部における少なくとも一方に上下方向に沿って取付けられた金属製の長尺部材であってもよい。さらに、保持部を構成するに、化粧ボード及び内装ボードにて積層状態の間伐材４を両側から挟み込んで一体化してもよい。
【００２７】
（３）上記各実施の形態では、間伐材４が直方体状の長尺状に加工され、互いに積層する間伐材４同士間に嵌合部Ｂを設ける構成を例示したが、これに代えて、丸太のまま互いに積層する間伐材４同士間に嵌合部Ｂを設ける構成としてもよい。これにより、間伐材４を加工する工程を極力減らしてログハウス調の壁を構成しながらも、強度の向上を図ることができる。
【００２８】
（４）上記実施の形態では、互いに積層する間伐材４同士間に、間伐材４同士の長手方向への相対移動を阻止する嵌合部Ｂを設ける構成を例示したが、互いに積層する間伐材４同士間に、間伐材４同士の長手方向への相対移動を阻止する嵌合部Ｂを設け、且つ、間伐材４同士を接着剤にて一体化してある構成としてもよい。
【００２９】
（５）上記実施の形態では、間伐材４を上下方向に並べて積層する構成を例示したが、このような構成に限られるものではなく、間伐材４を横方向に並べて積層する構成としてもよい。
【００３０】
（６）上記実施の形態では、建物を構成する柱１と梁２とで囲まれた空間内に１つの木造耐震壁Ａが嵌め込まれている構成を例示したが、建物を構成する柱１と梁２とで囲まれた空間内に２以上の複数の木造耐震壁Ａが嵌め込まれている構成としてもよい。つまり、建物を構成する柱１と梁２とで囲まれた空間内に上下方向又は横方向、もしくは、上下方向及び横方向に並ぶ複数の木造耐震壁Ａが嵌め込まれ、隣接する木造耐震壁Ａ同士間に、間伐材４同士の長手方向への相対移動を阻止する嵌合部Ｂを設けてある構成としてもよい。
【図面の簡単な説明】
【００３１】
【図１】柱及び梁に木造耐震壁を取り付けた構成を示す図
【図２】第１実施形態における木造耐震壁の縦断面図
【図３】第１実施形態における木造耐震壁の分解斜視図
【図４】第２実施形態における木造耐震壁の分解斜視図
【図５】第３実施形態における木造耐震壁の分解斜視図
【図６】第４実施形態における木造耐震壁の分解斜視図
【図７】従来の木造耐震壁を示す図
【符号の説明】
【００３２】
１          柱
２          梁
４          間伐材
６          保持部
７          噛合係合部
Ａ          木造耐震壁
Ｂ          嵌合部
【図１】
2009185586.tif 000003
【図２】
2009185586.tif 000004
【図３】
2009185586.tif 000005
【図４】
2009185586.tif 000006
【図５】
2009185586.tif 000007
【図６】
2009185586.tif 000008
【図７】
2009185586.tif 000009